(57)【要約】【課題】  非常時に、迅速に危険なく脱出できるとともに、常時は折り畳まれてその折り畳み幅を狭くすることができる非常用梯子を提供すること。【解決手段】  少なくとも一方のリンクを断面コ字状のチャンネル材から形成し、その内側に多数のステップ３を軸支し且つ、他方のリンクを一方のリンクに嵌着して、平行リンク機構４とする。【選択図】        図１
2015200095.tif 000002
【特許請求の範囲】
【請求項１】
互いに平行な細長い第１リンク(1)と第２リンク(2)と、両端が両リンクに軸支された複数のステップ(3)とにより平行リンク機構(4)を形成し、
前記平行リンク機構(4)により、一方のリンクが他方のリンクに開閉自在に重ね合わされ、
少なくとも一方のリンクが断面コ字状のチャンネル材からなり、そのチャンネル材の内側に前記ステップ(3)が軸支され、平行リンク機構(4)が折り畳まれるとき、そのチャンネル材が他方のリンクに嵌着されて、第１リンク(1)と第２リンク(2)とがその幅方向に重なって、それらの合計幅を縮小したことを特徴とする非常用梯子。
【請求項２】
請求項１に記載の非常用梯子において、
第１リンク(1)および第２リンク(2)が、それぞれ断面コ字状の対向する一対のチャンネル材からなり、一方のチャンネル材の幅が他方のチャンネル材の幅より広く形成され、広い方のチャンネル材の内側に狭いチャンネル材が嵌着できるように構成した非常用梯子。
【請求項３】
請求項１に記載の非常用梯子において、
第２リンク(2)のみがチャンネル材からなり、その第２リンク(2)が第１リンク(1)を被嵌するように構成した非常用梯子。
【請求項４】
請求項１〜請求項３に記載の非常用梯子において、
第１リンク(1)に対して第２リンク(2)が開放されるようにする開放手段(5)を設けた非常用梯子。
【請求項５】
請求項１〜請求項４に記載の非常用梯子において、
一方のリンクが構造体(6)に固定され、他方のリンクが一方のリンクに開閉自在に重なるように配置された非常用梯子。
【請求項６】
請求項５に記載の非常用梯子において、
コンクリート床(7)の脱出口(8)を貫通して、開閉自在な非常用梯子が配置され、床面の上方および下方にそれぞれステップ(3)が配置された非常用梯子。
【請求項７】
請求項６に記載の非常用梯子において、
脱出口(8)に開閉自在なハッチ(9)が被嵌され、そのハッチ(9)に隣接して非常用梯子が折り畳み自在に配置され、ハッチ(9)を開放したとき脱出口(8)内で、平行リンク機構(4)を展開できるように構成した非常用梯子。
【請求項８】
請求項１〜請求項４に記載の非常用梯子において、
構造体(6)に一方のリンクを固定した非常用梯子。
【発明の詳細な説明】
【技術分野】
【０００１】
本発明は、非常時に脱出するための梯子であって、折りたたみ自在でコンパクトなものに関する。
【背景技術】
【０００２】
下記特許文献１および特許文献２には、折り畳み自在な非常用梯子が記載されている。
これらは、図15に示す如く、左右一対の同一形状のチャンネル材よりなるリンク１、２の間を多数のステップ３で枢着し、全体を平行リンク機構に形成するとともに、図示しないダンパーによって一対のリンク１、２が壁面10に折り畳み可能に配置されている。そして、ダンパーによって平行リンク機構を折りたたんだとき、一対のリンク１、２は並列され、多数のステップ３が斜めに位置される。
このような非常用梯子は、次の２種類が存在した。
マンションにおいては、下階に脱出するハッチの下方に折り畳み自在な梯子が配置されていた。また、連続した長尺な梯子を壁面に沿って配置する提案も存在した。
【先行技術文献】
【特許文献】
【０００３】
【特許文献１】実開平４−３９２９８号公報
【特許文献２】特開２００３−１２６２７９号公報
【発明の概要】
【発明が解決しようとする課題】
【０００４】
図15に示す如く、壁面10に取付ける従来の折り畳み式の梯子は、常時一対の長尺なリンク１、２が重なった状態で折り畳まれる。そのため、折り畳み状態においてリンクの幅の２倍のスペースを必要とする。
また、連続した長尺な梯子は、その取付位置に制約があるとともに、梯子に導く特別な設備を必要とする欠点があった。
また、ハッチの下方に取付けた折り畳み式の梯子は、それが上階から下階へ下方にのみステップが配置される。そのため、避難時においてステップに足をかけ難く、危険である。
そこで、本発明は、緊急時に上階から下階に安全にかつ迅速に避難できる非常用梯子を提供するとともに、折り畳み状態で極めてコンパクトに折り畳むことができる梯子を提供することを課題とする。
【課題を解決するための手段】
【０００５】
請求項１に記載の本発明は、互いに平行な細長い第１リンク(1)と第２リンク(2)と、両端が両リンク(1)(2)に軸支された複数のステップ(3)とにより平行リンク機構(4)を形成し、
前記平行リンク機構(4)により、一方のリンクが他方のリンクに開閉自在に重ね合わされ、
少なくとも一方のリンクが断面コ字状のチャンネル材からなり、そのチャンネル材の内側に前記ステップ(3)が軸支され、平行リンク機構(4)が折り畳まれるとき、そのチャンネル材が他方のリンクに嵌着されて、第１リンク(1)と第２リンク(2)とがその幅方向に重なって、それらの合計幅を縮小したことを特徴とする非常用梯子である。
【０００６】
請求項２に記載の本発明は、請求項１に記載の非常用梯子において、
第１リンク(1)および第２リンク(2)が、それぞれ断面コ字状の対向する一対のチャンネル材からなり、一方のチャンネル材の幅が他方のチャンネル材の幅より広く形成され、広い方のチャンネル材の内側に狭いチャンネル材が嵌着できるように構成した非常用梯子である。
【０００７】
請求項３に記載の本発明は、請求項１に記載の非常用梯子において、
第２リンク(2)のみがチャンネル材からなり、その第２リンク(2)が第１リンク(1)を被嵌するように構成した非常用梯子である。
【０００８】
請求項４に記載の本発明は、請求項１〜請求項３に記載の非常用梯子において、
第１リンク(1)に対して第２リンク(2)が開放されるようにする開放手段(5)を設けた非常用梯子である。
【０００９】
請求項５に記載の本発明は、請求項１〜請求項４に記載の非常用梯子において、
一方のリンクが構造体(6)に固定され、他方のリンクが一方のリンクに開閉自在に重なるように配置された非常用梯子である。
【００１０】
請求項６に記載の本発明は、請求項５に記載の非常用梯子において、
コンクリート床(7)の脱出口(8)を貫通して、開閉自在な非常用梯子が配置され、床面の上方および下方にそれぞれステップ(3)が配置された非常用梯子である。
【００１１】
請求項７に記載の本発明は、請求項６に記載の非常用梯子において、
脱出口(8)に開閉自在なハッチ(9)が被嵌され、そのハッチ(9)に隣接して非常用梯子が折り畳み自在に配置され、ハッチ(9)を開放したとき脱出口(8)内で、平行リンク機構(4)を展開できるように構成した非常用梯子である。
【００１２】
請求項８に記載の本発明は、請求項１〜請求項４に記載の非常用梯子において、
構造体(6)に一方のリンクを固定した非常用梯子である。
【発明の効果】
【００１３】
本発明の非常用梯子は、一方のリンクが断面コ字状のチャンネル材からなり、その内側にステップ３が軸支され、平行リンク機構４を折り畳むとき、そのチャンネル材が他方のリンクに嵌着して、第１リンク１と第２リンク２とがその幅方向に重なり、それらの合計幅を縮小するので、折り畳み時にコンパクトな非常用梯子となる。そのため、通常時に小さなスペースに非常用梯子を収納できる効果がある。
【００１４】
請求項２に記載の発明は、第１リンク１および第２リンク２が、それぞれ断面コ字状の対向する一対のチャンネル材からなり、広い方のチャンネル材の内側に狭いチャンネル材が嵌着できるように構成したので、強度が強く、体裁のよい非常用梯子となる。
請求項３に記載の発明は、第２リンク２のみがチャンネル材からなり、その第２リンク２が第１リンク１を被嵌するように構成したので、よりコンパクトな非常用梯子となる。
請求項４に記載の発明によれば、第１リンク１に対して第２リンク２が開放されるようにする開放手段５を設けたので、非常時に迅速に非常用梯子を展開でき、安全に脱出することができる。
【００１５】
請求項５に記載の発明によれば、一方のリンクが構造体６に固定され、他方のリンクが一方のリンクに開閉自在に重なるように配置されたものであから、安定した非常用梯子を提供できる。
請求項６に記載の発明は、コンクリート床７の脱出口８を貫通して、開閉自在な非常用梯子が配置され、床面の上方および下方にそれぞれステップ３が配置されたものであるから、床面の上方のステップにつかまりながら、脱出口から安全に下方に脱出できる。そのため、脱出が容易で迅速に行われる効果かある。
【００１６】
請求項７に記載の発明によれば、脱出口８に開閉自在なハッチ９が被嵌され、そのハッチ９に隣接して非常用梯子が折り畳み状態で配置され、ハッチ９を開放したとき脱出口８内で、平行リンク機構４を展開できるようにしたので、非常用梯子を安定的に保持すると共に、常時は梯子を折り畳んでおける。
請求項８に記載の発明によれば、壁面等の構造体６に一方のリンクを固定したものであり、通常時はコンパクトに壁面等に非常用梯子を折り畳んでおき、非常時には容易にそれを展開して安全に脱出できる。
【図面の簡単な説明】
【００１７】
【図１】本発明の非常用梯子を上階から下階に展開した状態を示す立面図。
【図２】同平面図。
【図３】同要部縦断面図。
【図４】同折り畳み状態を示す平面図。
【図５】同拡大平面図。
【図６】同非常用梯子の作用を示す縦断面図。
【図７】本発明の第２実施例であって、構造体６に幅の狭い第２リンク２が取り付けられ、それに幅の広い第１リンク１が対向したもの。
【図８】同縦断面図。
【図９】本発明の第３実施例であって、構造体６に第１リンク１が固定され、その第１リンク１内に第２リンク２が折り畳まれる状態を示した平面図。
【図１０】本発明の第４実施例であって、幅の狭い第１リンク１が構造体６に固定され、その外側に幅の広い第２リンク２が折り畳まれる平面図。
【図１１】本発明の第５実施例であって、展開状態を示す平面図。
【図１２】同立面図。
【図１３】同折り畳み状態を示す平面図。
【図１４】本発明の第６実施例の折り畳み状態を示す平面図。
【図１５】従来の非常用梯子を示す立面図及び平面図。
【発明を実施するための形態】
【００１８】
次に、図面に基づいて本発明の実施の形態につき、説明する。
図１〜図６は、本発明の第１実施例の非常用梯子を示す。
この例の非常用梯子は、図１に示す如く、互いに平行に配置された第１リンク１と第２リンク２との間を多数のステップ３が連結している。各ステップ３の両端は、第１リンク１および第２リンク２に枢着されている。そして、図２に示す如く、第１リンク１および第２リンク２は共に長尺なチャンネル材からなり、第１リンク１のチャンネルの幅は第２リンク２のそれよりも広く形成されている。
【００１９】
そして、図４および図５に示す如く、第１リンク１の内側にステップ３および第２リンク２が嵌入して折り畳まれる。そのため、折り畳み状態において第１リンク１と第２リンク２とは互いに嵌着され、両者の合計幅が従来のそれに比べて半分程度になる。
この非常用梯子の長さは、図１に示す如く、下階のコンクリート床７と上階のコンクリート床７との高さよりも上方に突出している。なお、第１リンク１と第２リンク２とを折り畳んだときは、それらが構造体６である壁面10に固定されている。そして、上階のコンクリート床７のハッチ９を開放したとき、梯子が展開される。
【００２０】
このとき、上階のコンクリート床７の上方に１以上のステップ３が突出するため、そのステップ３を把持した状態で、下方に脱出できる。この例では、図２、図５の如く、各ステップ３と第１リンク１との間に開放手段５が配置され、非常時にハッチ９を持ち上げると、開放手段５の作用により第２リンク２が展開される。なお、その展開をゆっくり行うために、図示しないダンパーをステップ３と第１リンク１との間に配置することができる。また、そのダンパーは、第１リンク１と第２リンク２との折り畳み状態を保持するようにしてもよい。即ち、図示しないダンパーにより、折り畳み状態を維持することができる。
【００２１】
なお、開放手段５は梯子の展開状態をより速く行うために、第１リンク１に対して第２リンク２を展開するように付勢したが、これに替えて、開放手段５の向きを替え、第１リンク１と第２リンク２とが折り畳み状態で保持できるように付勢してもよい。それらの付勢方向は任意である。
さらにこの例では、図１の如く、第１リンク１の上方にフラッシングライト13を配置し、非常時にハッチ９を開けたとき、それを表示することができる。さらには、そこに警報音を発生させることもできる。さらには、フラッシングライト13を第１リンク１の外周に多数表示することもできる。また、その電源として太陽電池パネル、および充電器を第１リンク１の外面等に配置することもできる。
【００２２】
また、この例では図４に示す如く、第１リンク１を脱出口８に隣接して配置することにより、その常時の折り畳み状態をよりコンパクトにしている。しかしながら、その配置位置は任意に選択できる。また、ハッチ９の開閉方向も必要に応じて任意である。
図６は、非常用梯子の折り畳みの動作説明図である。
図６において、鎖線の状態に展開した梯子は、常時は実線の状態に折り畳まれる。そして、ハッチ９が脱出口８に閉塞すると、ハッチ９の先端が折り畳み状態の第１リンク１、第２リンク２に当接し、その状態を保持することができる。
【００２３】
（第２実施例）
図７および図８は本発明の第２実施例を示し、これが第１実施例と異なる点は、第１実施例では幅広の第１リンク１を壁面10に固定したが、それに替えて幅の狭い第２リンク２が壁面10に固定されている。他の点は前記実施例と同一である。そして、常時のときは第１リンク１が第２リンク２の外側に被嵌される。このようにすると、第１リンク１と第２リンク２との隙間が外部から隠れ、より体裁の良いものとなる。
【００２４】
（第３実施例）
次に、図９は本発明の第３実施例であり、本発明の非常用梯子を構造体６としての壁面10に固定した平面図である。このように本発明の非常用梯子は、脱出口８を有するハッチ９が設置されていない壁面10にも直接取り付けることができる。
【００２５】
（第４実施例）
次に、図10は本発明の第４実施例であり、この例が図９の例と異なる点は、第１リンク１の外側に第２リンク２が被嵌され、その第２リンク２の内側にチャンネル材を介してステップ３の端部が軸支されたものである。
【００２６】
（第５実施例）
次に、図11〜図13は本発明の第５実施例であり、この例は第２リンク２のみがチャンネル材からなり、第１リンク１は平板に定間隔にブラケット14を突設したものである。そして、第２リンク２を第１リンク１に折り畳んだとき、図13の如く、形成される。
【００２７】
（第６実施例）
次に、図14は本発明の第６実施例であり、本発明の非常用梯子を構造体６に平行に、ブラケット12を介して、取り付けたものである。このように非常用梯子を壁面10に平行に配置し、且つブラケット12の厚み分壁面10から離間して配置することにより、非常時の昇降をより容易にするとともに、壁面10に平行なスペースを有効に活用できる。
【符号の説明】
【００２８】
１  第１リンク
２  第２リンク
３  ステップ
４  平行リンク機構
５  開放手段
６  構造体
７  コンクリート床
８  脱出口
９  ハッチ
10  壁面
11  枢軸
12  ブラケット
13  フラッシングライト
14  ブラケット
【図１】
2015200095.tif 000003
【図２】
2015200095.tif 000004
【図３】
2015200095.tif 000005
【図４】
2015200095.tif 000006
【図５】
2015200095.tif 000007
【図６】
2015200095.tif 000008
【図７】
2015200095.tif 000009
【図８】
2015200095.tif 000010
【図９】
2015200095.tif 000011
【図１０】
2015200095.tif 000012
【図１１】
2015200095.tif 000013
【図１２】
2015200095.tif 000014
【図１３】
2015200095.tif 000015
【図１４】
2015200095.tif 000016
【図１５】
2015200095.tif 000017